(57)【要約】  本発明はデータを伝送する方法及び端末装置を開示した。該方法は、ネットワーク機器が送信した前記データをスケジューリングするためのダウンリンク制御情報ＤＣＩを検出すること、前記端末装置は検出した前記ＤＣＩに基づき、前記データを伝送するための基本パラメータセットを確定すること、及び前記端末装置は前記基本パラメータセットと前記ＤＣＩに基づき、前記ネットワーク機器が送信した前記データを検出し又は前記ネットワーク機器へ前記データを送信することを含む。このため、本発明の実施例に記載の方法及び端末装置は、異なる基本パラメータセットに基づいたデータ伝送に異なるＤＣＩフォーマットでスケジューリングすることを実現し、制御シグナリング設計の柔軟性を増加した。
2019527954.tif 000002
【特許請求の範囲】
【請求項１】
データを伝送する方法であって、
端末装置はネットワーク機器が送信した前記データをスケジューリングするためのダウンリンク制御情報ＤＣＩを検出すること、
前記端末装置は検出した前記ＤＣＩに基づき、前記データを伝送するための基本パラメータセットを確定すること、及び
前記端末装置は前記基本パラメータセットと前記ＤＣＩに基づき、前記ネットワーク機器が送信した前記データを検出し又は前記ネットワーク機器へ前記データを送信することを含むことを特徴とする、データを伝送する方法。
【請求項２】
前記端末装置は検出した前記ＤＣＩに基づき、前記データを伝送するための基本パラメータセットを確定するのは、
前記端末装置は検出した前記ＤＣＩに基づき、予め定義された複数の基本パラメータセットから前記データを伝送するための前記基本パラメータセットを確定することを含むことを特徴とする
請求項１に記載の方法。
【請求項３】
前記端末装置は検出した前記ＤＣＩに基づき、前記データを伝送するための基本パラメータセットを確定するのは、
前記端末装置は検出した前記ＤＣＩの巡回冗長検査コードに基づき、前記データを伝送するための前記基本パラメータセットを確定することを含むことを特徴とする
請求項１又は２に記載の方法。
【請求項４】
前記端末装置は検出した前記ＤＣＩに基づき、前記データを伝送するための基本パラメータセットを確定するのは、
前記端末装置は検出した前記ＤＣＩのＤＣＩフォーマット、及びＤＣＩフォーマットと基本パラメータセットとの対応関係に基づき、前記データを伝送するための前記基本パラメータセットを確定することを含むことを特徴とする
請求項１又は２に記載の方法。
【請求項５】
前記端末装置は検出した前記ＤＣＩに基づき、前記データを伝送するための基本パラメータセットを確定する前に、前記方法は、
前記端末装置は前記ネットワーク機器が送信した指示情報を受信し、前記指示情報はＤＣＩフォーマットと基本パラメータセットとの前記対応関係を指示することに用いられることを更に含むことを特徴とする
請求項４に記載の方法。
【請求項６】
異なるＤＣＩフォーマットに対応する制御情報の長さは異なり、及び／又は異なるＤＣＩフォーマットに含まれたＤＣＩフォーマットインジケータビットが指示する情報は異なることを特徴とする
請求項４又は５に記載の方法。
【請求項７】
異なるＤＣＩフォーマットに対応する基本パラメータセットが異なり、且つ前記異なるＤＣＩフォーマットは同じ制御情報ドメインを含むと、前記同じ制御情報ドメインは前記異なるＤＣＩフォーマットの中で占められたビット数が異なり、及び／又は前記同じ制御情報ドメインは前記異なるＤＣＩフォーマットの中で指示した内容が異なることを特徴とする
請求項４又は５に記載の方法。
【請求項８】
前記制御情報ドメインは、
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式ＭＣＳを指示するための制御情報ドメイン、サブフレーム構造を指示するための制御情報ドメイン、及び復調基準信号ＤＭＲＳ構成を指示するための制御情報ドメインの中の少なくとも１種を含むことを特徴とする
請求項７に記載の方法。
【請求項９】
前記基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換又は逆フーリエ変換の点数、送信時間間隔ＴＴＩにおけるＯＦＤＭシンボル数、特定時間長さ内に含まれたＴＴＩの個数及び信号プレフィックスの長さのパラメータの中の少なくとも１種を含むことを特徴とする
請求項１乃至８のいずれか一項に記載の方法。
【請求項１０】
端末装置であって、
ネットワーク機器が送信した前記データをスケジューリングするためのダウンリンク制御情報ＤＣＩを検出するための検出モジュール、
前記検出モジュールが検出した前記ＤＣＩに基づき、前記データを伝送するための基本パラメータセットを確定するための確定モジュール、及び
前記確定モジュールが確定した前記基本パラメータセットと前記検出モジュールが検出した前記ＤＣＩに基づき、前記ネットワーク機器が送信した前記データを検出し又は前記ネットワーク機器へ前記データを送信するための伝送モジュールを備えることを特徴とする、端末装置。
【請求項１１】
前記確定モジュールは具体的に、
検出した前記ＤＣＩに基づき、予め定義された複数の基本パラメータセットから前記データを伝送するための前記基本パラメータセットを確定することに用いられることを特徴とする
請求項１０に記載の端末装置。
【請求項１２】
前記確定モジュールは具体的に、
検出した前記ＤＣＩの巡回冗長検査コードに基づき、前記データを伝送するための前記基本パラメータセットを確定することに用いられることを特徴とする
請求項１０又は１１に記載の端末装置。
【請求項１３】
前記確定モジュールは具体的に、
検出した前記ＤＣＩのＤＣＩフォーマット、及びＤＣＩフォーマットと基本パラメータセットとの対応関係に基づき、前記データを伝送するための前記基本パラメータセットを確定することに用いられることを特徴とする
請求項１０又は１１に記載の端末装置。
【請求項１４】
前記確定モジュールは検出した前記ＤＣＩに基づき、前記データを伝送するための基本パラメータセットを確定する前に、前記伝送モジュールは更に、
前記ネットワーク機器が送信したＤＣＩフォーマットと基本パラメータセットとの前記対応関係を指示するための指示情報を受信することに用いられることを特徴とする
請求項１３に記載の端末装置。
【請求項１５】
異なるＤＣＩフォーマットに対応する制御情報の長さは異なり、及び／又は異なるＤＣＩフォーマットに含まれたＤＣＩフォーマットインジケータビットが指示する情報は異なることを特徴とする
請求項１３又は１４に記載の端末装置。
【請求項１６】
異なるＤＣＩフォーマットに対応する基本パラメータセットが異なり、且つ前記異なるＤＣＩフォーマットは同じ制御情報ドメインを含むと、前記同じ制御情報ドメインは前記異なるＤＣＩの中で占められたビット数が異なり、及び／又は前記同じ制御情報ドメインは前記異なるＤＣＩフォーマットの中で指示した内容が異なることを特徴とする
請求項１３又は１４に記載の端末装置。
【請求項１７】
前記制御情報ドメインは、
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式ＭＣＳを指示するための制御情報ドメイン、サブフレーム構造を指示するための制御情報ドメイン、及び復調基準信号ＤＭＲＳ構成を指示するための制御情報ドメインの中の少なくとも１種を含むことを特徴とする
請求項１６に記載の端末装置。
【請求項１８】
前記基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換又は逆フーリエ変換の点数、送信時間間隔ＴＴＩにおけるＯＦＤＭシンボル数、特定時間長さ内に含まれたＴＴＩの個数及び信号プレフィックスの長さのパラメータの中の少なくとも１種を含むことを特徴とする
請求項１０乃至１７のいずれか一項に記載の端末装置。
【発明の詳細な説明】
【技術分野】
【０００１】
本発明は通信分野に関し、且つより具体的に、データを伝送する方法及び端末装置に関する。
【背景技術】
【０００２】
第５世代移動通信技術（５Ｇ）において、ユーザ装置（Ｕｓｅｒ  Ｅｑｕｉｐｍｅｎｔ、「ＵＥ」  と略称）は１つのキャリアに様々な異なる基本パラメータセット（ｎｕｍｅｒｏｌｏｇｙ）をサポートすることができる。これらの異なる基本パラメータセットは時分割多重（Ｔｉｍｅ  Ｄｉｖｉｓｉｏｎ  Ｍｕｌｔｉｐｌｅｘ、「ＴＤＭ」と略称）或いは周波数分割多重（Ｆｒｅｑｕｅｎｃｙ  Ｄｉｖｉｓｉｏｎ  Ｍｕｌｔｉｐｌｅｘ、「ＦＤＭ」と略称）の方法によって多重化することができる。例えば、同じ送信時間間隔（Ｔｒａｎｓｍｉｓｓｉｏｎ  Ｔｉｍｅ  Ｉｎｔｅｒｖａｌ、「ＴＴＩ」と略称）で、異なる周波数ドメインリソースは異なる基本パラメータセットを使用するデータ伝送に割り当てられることができる。制御チャネルブラインド検出の複雑さを低下させるために、異なる基本パラメータセットを使用して且つＦＤＭ多重化を行うデータ伝送は１つの共有の制御チャネル例えば物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、「ＰＤＣＣＨ」と略称）に基づいてスケジューリングすることができる。異なる基本パラメータセットに基づいたデータ伝送に必要となる制御情報は異なるかもしれないため、如何に異なる基本パラメータセットに基づいたデータ伝送をスケジューリングするかは解決すべき緊急の問題である。
【発明の概要】
【発明が解決しようとする課題】
【０００３】
本発明の実施例はデータを伝送する方法及び端末装置を提供し、如何に異なる基本パラメータセットに基づいたデータ伝送をスケジューリングするかという問題を解決した。
【課題を解決するための手段】
【０００４】
第１態様は、データを伝送する方法を提供し、端末装置はネットワーク機器が送信した前記データをスケジューリングするためのダウンリンク制御情報ＤＣＩを検出すること、前記端末装置は検出した前記ＤＣＩに基づき、前記データを伝送するための基本パラメータセットを確定すること、及び前記端末装置は前記基本パラメータセットと前記ＤＣＩに基づき、前記ネットワーク機器が送信した前記データを検出し又は前記ネットワーク機器へ前記データを送信することを含む。
【０００５】
このため、本発明の実施例による方法は、異なる基本パラメータセットに基づいたデータ伝送を異なるＤＣＩフォーマットによってスケジューリングすることを実現し、制御シグナリング設計の柔軟性を増加する。
【０００６】
また、端末装置は、現在に行おうとするデータ伝送に使用され、ネットワーク機器によって送信される該基本パラメータセットを受信する必要せず、ダウンリンクシグナリングのオーバーヘッドを節約することができる。
【０００７】
他の実施例として、前記端末装置は検出した前記ＤＣＩに基づき、前記データを伝送するための基本パラメータセットを確定するのは、
前記端末装置は検出した前記ＤＣＩに基づき、予め定義された複数の基本パラメータセットから前記データを伝送するための前記基本パラメータセットを確定することを含む。
【０００８】
他の実施例として、前記端末装置は検出した前記ＤＣＩに基づき、前記データを伝送するための基本パラメータセットを確定するのは、
前記端末装置は検出した前記ＤＣＩのＤＣＩフォーマット、及びＤＣＩフォーマットと基本パラメータセットとの対応関係に基づき、前記データを伝送するための前記基本パラメータセットを確定する。
【０００９】
他の実施例として、前記端末装置は検出した前記ＤＣＩに基づき、前記データを伝送するための基本パラメータセットを確定する前に、前記方法は、
前記端末装置は前記ネットワーク機器が送信した指示情報を受信し、前記指示情報はＤＣＩフォーマットと基本パラメータセットとの前記対応関係を指示することに用いられることを更に含む。
【００１０】
他の実施例として、前記端末装置は検出した前記ＤＣＩに基づき、前記データを伝送するための基本パラメータセットを確定するのは、
前記端末装置は検出した前記ＤＣＩの巡回冗長検査コードに基づき、前記データを伝送するための前記基本パラメータセットを確定することを含む。
【００１１】
理解すべきなのは、基本パラメータセットとＤＣＩフォーマットとの該対応関係はネットワーク機器自体によって決められてもよく、ネットワーク機器と端末装置との間に予め約束されてもよい。
【００１２】
他の実施例として、異なるＤＣＩフォーマットに対応する制御情報長さが異なり、及び／又は異なるＤＣＩフォーマットに含まれたＤＣＩフォーマットインジケータビットが指示する情報は異なる。
【００１３】
他の実施例として、異なるＤＣＩフォーマットに対応する基本パラメータセットが異なり、且つ前記異なるＤＣＩフォーマットは同じ制御情報ドメインを含むと、前記同じ制御情報ドメインは前記異なるＤＣＩの中で占められたビット数が異なり、及び／又は前記同じ制御情報ドメインは前記異なるＤＣＩフォーマットの中で指示した内容が異なる。
【００１４】
該ＤＣＩの長さは該ＤＣＩに含まれた制御情報の総ビット数を指し、該ＤＣＩの内容は該ＤＣＩに含まれた制御情報ドメイン、及び各制御情報ドメインが指示された内容を指す。
【００１５】
つまり、異なる基本パラメータセットは異なるＤＣＩフォーマットに対応し、異なるＤＣＩフォーマットはＤＣＩの長さ、ＤＣＩにおける制御情報の内容、制御情報ドメインの長さ及び制御情報ドメインが指示された内容の中の少なくとも１種によって区別することができる。即ち、異なるＤＣＩフォーマットに対応するＤＣＩの長さが異なり、及び／又は異なるＤＣＩフォーマットに対応するＤＣＩにおける制御情報の内容が異なり、及び／又は同じ制御情報ドメインについて、異なるＤＣＩフォーマットに対応するＤＣＩにおける同じ制御情報ドメインが占められたビット数は異なり、及び／又は同じ制御情報ドメインについて、異なるＤＣＩフォーマットに対応するＤＣＩにおける同じ制御情報ドメインが指示された内容が異なる。
【００１６】
他の実施例として、前記制御情報ドメインは、
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式ＭＣＳを指示するための制御情報ドメイン、サブフレーム構造を指示するための制御情報ドメイン、及び復調基準信号ＤＭＲＳ構成を指示するための制御情報ドメインの中の少なくとも１種を含む。
【００１７】
物理リソースの割り当てを指示するための制御情報ドメインは、例えば該ＤＣＩがスケジューリングしたデータ伝送に占用されたＰＲＢのＲＢ割り当て制御情報ドメインであってよく、ＡＣＫ／ＮＡＣＫフィードバックタイムシーケンスを指示するための制御情報ドメインは、データ伝送と対応するＡＣＫ／ＮＡＣＫフィードバックとの間のタイムシーケンス関係、例えばデータ伝送が所在するサブフレームと対応するＡＣＫ／ＮＡＣＫフィードバックが所在するサブフレームとの間のサブフレームオフセット数を指示することに用いられ、周波数ホッピング構成を指示するための制御情報ドメインは、例えば周波数領域の周波数ホッピングを指示するための制御情報ドメインであり、ＤＭＲＳ構成を指示するための制御情報ドメインは、例えばＤＭＲＳに使用されたポート、スクランブルシーケンス等の情報を指示するための制御情報ドメインであり、サブフレーム構造を指示するための制御情報ドメインは、例えばサブフレームにおける総直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称）シンボル数、或いはサブフレームにおける保護間隔（Ｇｕａｒｄ  Ｐｅｒｉｏｄ、「ＧＰ」と略称）数量又は位置、又はサブフレームにおける異なるタイプのＯＦＤＭシンボルの数量構成、例えばサブフレームにおけるダウンリンク制御シンボル、ダウンリンクデータシンボル及びアップリンク制御シンボルの数量または比率構成、或いはサブフレームにおけるダウンリンク制御シンボル及びアップリンクデータシンボルの数量または比率構成を指示することに用いられる。
【００１８】
他の実施例として、前記基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換又は逆フーリエ変換の点数、送信時間間隔ＴＴＩにおけるＯＦＤＭシンボル数、特定時間長さ内に含まれたＴＴＩの個数及び信号プレフィックスの長さというパラメータの少なくとも１種を含む。
【００１９】
サブキャリア間隔は隣接するサブキャリアの周波数間隔、例えば１５ｋＨｚ、６０ｋＨｚ等を指し、特定の帯域幅でのサブキャリア数は例えば各可能なシステム帯域幅に対応するサブキャリア数であり、ＰＲＢに含まれるサブキャリア数は例えば典型的に１２の整数倍であり、ＴＴＩに含まれるＯＦＤＭシンボル数は例えば典型的に１４の整数倍であり、一定の時間単位内に含まれるＴＴＩ数は１ｍｓ或いは１０ｍｓの時間長さに含まれたＴＴＩ数を指し、信号プレフィックス長さは例えば信号のサイクリックプレフィックスの時間長さであり、或いはサイクリックプレフィックスは一般的なＣＰを使用するか、それとも拡張ＣＰを使用するかである。
【００２０】
第２態様は、端末装置を提供し、該端末装置は上記の第１態様及び様々な実現形態におけるデータを伝送するための方法において端末装置により実行する各過程を実行することに用いられることができる。該端末装置は、ネットワーク機器が送信した前記データをスケジューリングするためのダウンリンク制御情報ＤＣＩを検出するための検出モジュール、検出した前記ＤＣＩに基づき、前記データを伝送するための基本パラメータセットを確定し、前記基本パラメータセットは前記データを伝送する時間周波数リソースを確定するためのリソースパラメータの少なくとも１つを含む確定モジュール、及び前記基本パラメータセット及び前記ＤＣＩに基づき、前記ネットワーク機器が送信した前記データを検出し又は前記ネットワーク機器へ前記データを送信する伝送モジュールを備える。
【００２１】
第３態様は、端末装置を提供し、該端末装置は上記の第１態様及び様々な実現形態におけるデータを伝送するための方法において端末装置により実行する各過程を実行することに用いられることができる。該端末装置は、ネットワーク機器が送信した前記データをスケジューリングするためのダウンリンク制御情報ＤＣＩを検出し、検出した前記ＤＣＩに基づき、前記データを伝送するための基本パラメータセットを確定することに用いられ、前記基本パラメータセットは前記データを伝送する時間周波数リソースを確定するためのリソースパラメータの少なくとも１つを含むプロセッサ、及び前記基本パラメータセット及び前記ＤＣＩに基づき、前記ネットワーク機器が送信した前記データを検出し又は前記ネットワーク機器へ前記データを送信するトランシーバーを備える。
【００２２】
第４態様は、コンピュータチップを提供し、入力インターフェース、出力インターフェース、少なくとも１つのプロセッサ、及びメモリを備え、前記プロセッサは前記メモリにおけるコードを実行することに用いられ、前記コードが実行される際に、前記プロセッサ上記の第１態様及び様々な実現形態におけるデータを伝送するための方法において端末装置により実行する各過程を実現することができる。
【００２３】
第５態様は、コンピュータ可読記憶媒体を提供し、前記コンピュータ可読記憶媒体にプログラムが記憶され、前記プログラムによって端末装置が上記の第１態様、及びその様々な実現形態におけるいずれかのデータを伝送するための方法を実行させる。
【図面の簡単な説明】
【００２４】
【図１】本発明の実施例による適用シーンを示す模式図である。
【図２】本発明の実施例によるデータを伝送する方法を示すプロセス相互作用図である。
【図３】本発明の他の実施例によるデータを伝送する方法を示すプロセス相互作用図である。
【図４】本発明の他の実施例によるデータを伝送する方法を示すプロセス相互作用図である。
【図５】本発明の実施例による端末装置を示す構造ブロック図である。
【図６】本発明の実施例による端末装置を示す構造ブロック図である。
【図７】本発明の実施例によるシステムチップを示す模式的な構造図である。
【発明を実施するための形態】
【００２５】
以下、本発明の実施例における図面を参照して、本発明の実施例における技術的解決手段を明確かつ十分に説明する。言うまでも無く、説明された実施例は全てを包括するものでなく本発明の一部の実施例を示すものに過ぎない。本発明における実施例に基づいて、当業者が創造的な工夫をすることなく得られたすべての他の実施例は、いずれも本発明の保護範囲に属する。
【００２６】
理解すべきなのは、本発明の実施例の技術的解決手段は様々な通信システム、例えば：グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、一般パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）等の従来の通信システムに応用することができ、及び特に将来の５Ｇシステムに応用することができる。
【００２７】
本発明の実施例における端末装置はユーザ装置（Ｕｓｅｒ  Ｅｑｕｉｐｍｅｎｔ、「ＵＥ」と略称）、アクセス端末、ユーザユニット、ユーザ局、移動局、移動台、遠隔局、遠隔端末、モバイルデバイス、ユーザ端末、端末、無線通信デバイス、ユーザエージェントまたはユーザデバイスを指してもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、「ＳＩＰ」と略称）電話、無線ローカルループ（Ｗｉｒｅｌｅｓｓ  Ｌｏｃａｌ  Ｌｏｏｐ、と略称「ＷＬＬ」）局、パーソナルデジタルアシスタント（Ｐｅｒｓｏｎａｌ  Ｄｉｇｉｔａｌ  Ａｓｓｉｓｔａｎｔ、「ＰＤＡ」と略称）、無線通信機能を有するハンドヘルド装置、コンピューティング装置又は無線モデムに接続された他の処理装置、車載装置、ウェアラブル装置及び将来５Ｇネットワークにおける端末装置或いは将来進化された公衆陸上モバイルネットワーク（Ｐｕｂｌｉｃ  Ｌａｎｄ  Ｍｏｂｉｌｅ  Ｎｅｔｗｏｒｋ、「ＰＬＭＮ」と略称）における端末装置等であってよい。
【００２８】
本発明の実施例におけるネットワーク機器は端末装置と通信するための装置であってよく、該ネットワーク機器はＧＳＭ又はＣＤＭＡにおける基地局（Ｂａｓｅ  Ｔｒａｎｓｃｅｉｖｅｒ  Ｓｔａｔｉｏｎ、と略称「」ＢＴＳ）であってもよく、ＷＣＤＭＡシステムにおける基地局（ＮｏｄｅＢ、「ＮＢ」と略称）であってもよく、ＬＴＥシステムにおける進化型基地局（Ｅｖｏｌｕｔｉｏｎａｌ  ＮｏｄｅＢ、「ｅＮＢ又はｅＮｏｄｅＢ」と略称）であってもよく、クラウド無線アクセスネットワーク（Ｃｌｏｕｄ  Ｒａｄｉｏ  Ａｃｃｅｓｓ  Ｎｅｔｗｏｒｋ、「ＣＲＡＮ」と略称）シナリオでのワイヤレスコントローラであってもよく、或いは該ネットワーク機器は中継局、アクセスポイント、車載装置、ウェアラブル装置及び将来５Ｇネットワークにおけるネットワーク機器或いは将来進化されたＰＬＭＮネットワークにおけるネットワーク機器等であってもよい。
【００２９】
図１は本発明の１つの適用シーンを示す模式図である。図１における通信システムは端末装置１０及びネットワーク機器２０を含んでよい。ネットワーク機器２０は端末装置１０のために通信サービスを提供して且つコアネットワークにアクセスすることに用いられ、端末装置１０はネットワーク機器２０が送信した同期信号、ブロードキャスト信号等をサーチすることによってネットワークにアクセスし、それによりネットワークと通信する。図１に示したような矢印は端末装置１０とネットワーク機器２０との間のセルラーリンクによって行ったアップリンク／ダウンリンクの伝送を示すことができる。本発明の実施例は共通の制御チャネルに異なるＤＣＩフォーマットで異なる基本パラメータセットに基づいたデータ伝送をスケジューリングして、制御シグナリング設計の柔軟性を向上させることができる。
【００３０】
図２は本発明の実施例によるデータ伝送の方法を示す模式的なフローチャートである。図２に端末装置１０及びネットワーク機器２０を示した。図２に示すように、該伝送データの具体的なプロセスは、以下のステップを含み、
２１０において、ネットワーク機器２０は該データを伝送するための基本パラメータセットを確定する。
【００３１】
例えば、ネットワーク機器２０は予め定義された複数の基本パラメータセットから、該データを伝送するための基本パラメータセットを確定することができ、それにより該基本パラメータセットに基づき端末装置１０へ送信するダウンリンク制御情報（Ｄｏｗｎｌｉｎｋ  Ｃｏｎｔｒｏｌ  Ｉｎｆｏｒｍａｔｉｏｎ、「ＤＣＩ」と略称）を確定することができる。
【００３２】
該基本パラメータセットは該データを伝送する時間周波数リソースを確定するための少なくとも１つのリソースパラメータを含んでよい。
【００３３】
選択可能に、該基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換例えば快速フーリエ変換（Ｆａｓｔ  Ｆｏｕｒｉｅｒ  Ｔｒａｎｓｆｏｒｍ、「ＦＦＴ」と略称）又は逆フーリエ変換例えば快速逆フーリエ変換（Ｉｎｖｅｒｓｅ  Ｆａｓｔ  Ｆｏｕｒｉｅｒ  Ｔｒａｎｓｆｏｒｍ、「ＩＦＦＴ」と略称）の点数、送信時間間隔ＴＴＩにおけるＯＦＤＭシンボル数、特定時間長さ内に含まれたＴＴＩの個数及び信号プレフィックスの長さのパラメータの中の少なくとも１種を含んでよい。
【００３４】
サブキャリア間隔は隣接するサブキャリアの周波数間隔、例えば１５ｋＨｚ、６０ｋＨｚ等を指し、特定の帯域幅でのサブキャリア数は例えば各可能なシステム帯域幅に対応するサブキャリア数であり、ＰＲＢに含まれるサブキャリア数は例えば典型的に１２の整数倍であってよく、ＴＴＩに含まれるＯＦＤＭシンボル数は例えば典型的に１４の整数倍であってよく、一定時間単位内に含まれるＴＴＩ数は１ｍｓ或いは１０ｍｓの時間長さ内に含まれたＴＴＩ数を指すことができ、信号プレフィックス長さは例えば信号のサイクリックプレフィックスの時間長さ、或いはサイクリックプレフィックスに従来のＣＰを使用するか、拡張ＣＰを使用するかである。
【００３５】
２２０において、ネットワーク機器２０は該基本パラメータセットに基づき、端末装置１０へ該データをスケジューリングするためのＤＣＩを送信する。
【００３６】
具体的に、本発明の実施例において、同じキャリア内に多種の異なる基本パラメータセットをサポートすることができ、これらの異なる基本パラメータセットはＴＤＭ或いはＦＤＭの方式によって多重化することができる。例えば同じＴＴＩにおいて、異なる周波数ドメインリソースは異なる基本パラメータセットに基づいたデータ伝送に割り当てられることができ、或いは異なるＴＴＩは異なる基本パラメータセットに基づいたデータ伝送に用いられることができる。異なる基本パラメータセットに基づいたデータ伝送は共通の制御チャネル或いは独立した制御チャネルによってスケジューリングすることができる。ネットワーク機器２０は該基本パラメータセットを確定した後に、該基本パラメータセットに基づき端末装置１０へ該データをスケジューリングするためのＤＣＩを送信することができる。
【００３７】
理解すべきなのは、ネットワーク機器２０は異なるニーズに応じて適切なチャネルを選択して異なる基本パラメータセットに基づいたデータをスケジューリングすることができ、ネットワーク機器２０は共通の制御チャネルに異なる基本パラメータセットに基づいたデータをスケジューリングすることができ、例えばネットワーク機器２０は物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、「ＰＤＣＣＨ」と略称）によって端末装置１０へ該データをスケジューリングするためのＤＣＩを送信することができ、ネットワーク機器２０は独立した制御チャネルによって異なる基本パラメータセットに基づいたデータをスケジューリングすることもでき、ここで制限されない。
【００３８】
選択可能に、ネットワーク機器２０は該基本パラメータセットにおける少なくとも１つのパラメータに基づき、端末装置１０へ該データをスケジューリングするためのＤＣＩを送信することができ、或いはネットワーク機器２０は該基本パラメータセット、及び基本パラメータセットとＤＣＩフォーマットとの対応関係に基づき、該ＤＣＩのＤＣＩフォーマットを確定し、且つ該ＤＣＩフォーマットに基づき、端末装置１０へ該データをスケジューリングするためのＤＣＩを送信することができる。
【００３９】
具体的に、ネットワーク機器２０は前記基本パラメータセットにおける少なくとも１つのパラメータに基づいて、該データをスケジューリングするためのＤＣＩの物理リソースを確定し、更に確定された該物理リソースに端末装置１０へ該データをスケジューリングするための該ＤＣＩを送信することができる。例えば、ネットワーク機器２０は該基本パラメータセットにおけるサブキャリア間隔に基づいて、該ＤＣＩを運ぶ制御チャネルが占用したサブキャリア数及びＰＲＢ数を確定することができ、それにより対応するサブキャリア及びＰＲＢにおける制御チャネルには端末装置１０へＤＣＩを送信する。
【００４０】
ネットワーク機器２０は更に確定した該基本パラメータセット、及び基本パラメータセットとＤＣＩフォーマットとの該対応関係に基づき、該データをスケジューリングするための該ＤＣＩのＤＣＩフォーマットを確定し、且つ該ＤＣＩフォーマットに基づき端末装置１０へ該データをスケジューリングするための該ＤＣＩを送信することができる。
【００４１】
例えば、仮に該基本パラメータセットはサブキャリア間隔を含むとした場合、基本パラメータセットとＤＣＩフォーマットとの対応関係は表１に示すようなものであってよい。第１周波数帯でデータ伝送に使用されるサブキャリア間隔は１５ｋＨｚであり、対応されるＤＣＩフォーマットはＤＣＩフォーマット１（ＤＣＩ  ｆｏｒｍａｔ  １）であり、第１周波数帯でデータ伝送に使用されるサブキャリア間隔は３０ｋＨｚであり、対応されるＤＣＩフォーマットはＤＣＩ  ｆｏｒｍａｔ  ２であり、第３周波数帯でデータ伝送に使用されるサブキャリア間隔は６０ｋＨｚであり、対応されるＤＣＩフォーマットはＤＣＩ  ｆｏｒｍａｔ  ３であり、第４周波数帯でデータ伝送に使用されるサブキャリア間隔は１２０ｋＨｚであり、対応されるＤＣＩフォーマットがＤＣＩ  ｆｏｒｍａｔ  ４である。
【表１】
2019527954.tif 000003
【００４２】
固定のシステム帯域幅に対して、異なるサブキャリア間隔に対応するサブキャリア数は異なり、対応するダウンリンクの総の物理リソースブロック（Ｐｈｙｓｉｃａｌ  Ｒｅｓｏｕｒｃｅ  Ｂｌｏｃｋ、「ＰＲＢ」と略称）数も異なって、周波数ドメインリソースの割り当てに必要なビット数も異なる。異なるサブキャリア間隔に対応するＤＣＩフォーマットにおける周波数ドメインリソース割り当てドメインのビット数が異なると、異なるＤＣＩフォーマットに含まれた総ビット数も異なる。例えば、仮に各ＤＣＩフォーマットに含まれる周波数ドメインリソース構成ドメインのビット数がＭ、Ｍ−ｋ、Ｍ−２ｋ、Ｍ−３ｋである場合、この４つのＤＣＩフォーマットに含まれる制御情報ビット数はそれぞれＮ、Ｎ−ｋ、Ｎ−２ｋ、Ｎ−３ｋである。
【００４３】
ネットワーク機器２０は確定した該基本パラメータセット、及び基本パラメータセットとＤＣＩフォーマットとの該対応関係に基づき、該データをスケジューリングするための該ＤＣＩのＤＣＩフォーマットを確定することができ、それにより該ＤＣＩフォーマットに基づき端末装置１０へ該ＤＣＩを送信する。
【００４４】
このように、異なる基本パラメータセットに基づいたデータ伝送に異なるＤＣＩフォーマットによってスケジューリングすることを実現することができ、制御シグナリング設計の柔軟性を増加した。
【００４５】
理解すべきなのは、基本パラメータセットとＤＣＩフォーマットとの該対応関係はネットワーク機器２０自体によって決められ、ネットワーク機器２０と端末装置１０との間に予め約束されてもよい。
【００４６】
２３０において、端末装置１０は該データをスケジューリングするためのダウンリンク制御情報ＤＣＩを検出する。
【００４７】
具体的に、端末装置１０はネットワーク機器２０が送信した該データをスケジューリングするためのダウンリンク制御情報ＤＣＩを検出する。例えば端末装置は異なるＤＣＩフォーマットに基づいて、あるＤＣＩフォーマットに応じて該ＤＣＩを正確に検出するまで、該データをスケジューリングするためのＤＣＩを検出することができる。
【００４８】
２４０において、端末装置１０は検出した該ＤＣＩに基づき、該データを伝送するための基本パラメータセットを確定する。
【００４９】
具体的に、端末装置１０は可能なＤＣＩフォーマットに基づいて該ＤＣＩを検出した後に、検出した該ＤＣＩに基づき、該データを伝送するための基本パラメータセットを確定することができる。
【００５０】
このように、ネットワーク機器２０は端末装置１０に現在に行おうデータ伝送に使用された該基本パラメータセットを通知する必要がなく、ダウンリンクシグナリングのオーバーヘッドを節約することができる。
【００５１】
選択可能に、端末装置１０は検出した該ＤＣＩの巡回冗長検査（Ｃｙｃｌｉｃ  Ｒｅｄｕｎｄａｎｃｙ  Ｃｈｅｃｋ、「ＣＲＣ」と略称）コード（ＣＲＣチェックコードと呼ばれることができる）に基づき、前記データを伝送するための前記基本パラメータセットを確定することができる。例えば端末装置１０はＣＲＣチェックコードの長さ或いはＣＲＣチェックコードの内容に基づき、前記データを伝送するための前記基本パラメータセットを確定することができる。
【００５２】
選択可能に、端末装置１０は、検出した該ＤＣＩのＤＣＩフォーマット、及びＤＣＩフォーマットと基本パラメータセットとの対応関係に基づき、該データを伝送するための該基本パラメータセットを更に確定することができる。
【００５３】
例えば、該データをスケジューリングするためのＤＣＩの可能な形式はＤＣＩ  ｆｏｒｍａｔ  １、ＤＣＩ  ｆｏｒｍａｔ  ２、ＤＣＩ  ｆｏｒｍａｔ  ３及びＤＣＩ  ｆｏｒｍａｔ  ４がある。端末装置はこれらの可能なＤＣＩフォーマットに基づいて、ネットワーク機器２０がＰＤＣＣＨによって送信したＤＣＩを検出する。上記の表１に示すように、該４つのＤＣＩフォーマットはそれぞれ１つのサブキャリア間隔の大きさに対応できる。仮に端末装置１０はＤＣＩ  ｆｏｒｍａｔ  １に基づいてネットワーク機器２０が送信したＤＣＩを正確に検出したと、端末装置１０は表１に示すようなＤＣＩフォーマットとサブキャリア間隔との対応関係に基づき、検出したＤＣＩ  ｆｏｒｍａｔ  １に対応するサブキャリア間隔が１５ｋＨｚであることを確定する。端末装置１０は確定したサブキャリア間隔に基づき、検出した該ＤＣＩがスケジューリングされた物理ダウンリンク共有チャネル（Ｐｈｙｓｉｃａｌ  Ｄｏｗｎｌｉｎｋ  Ｓｈａｒｅｄ  Ｃｈａｎｎｅｌ、「ＰＤＳＣＨ」と略称）を検出する。例えば、端末装置１０はサブキャリア間隔に基づき第１周波数帯におけるサブキャリア数及びＰＲＢ数、及び１つのＯＦＤＭシンボルに対応する時間領域でのサンプリング点数、及び１つのＴＴＩに含まれたＯＦＤＭシンボル数を確定することができる。更にこれらのパラメータ及び該ＤＣＩにおける制御情報に基づき、該ＤＣＩがスケジューリングしたデータを検出する。
【００５４】
また例えば、該データをスケジューリングするためのＤＣＩの可能な形式はＤＣＩ  ｆｏｒｍａｔ  １、ＤＣＩ  ｆｏｒｍａｔ  ２、ＤＣＩ  ｆｏｒｍａｔ  ３及びＤＣＩ  ｆｏｒｍａｔ  ４があり、ＤＣＩフォーマットと基本パラメータセットとの対応関係は表２に示すようなものである。端末装置１０はこれらの可能なＤＣＩフォーマットに基づいて、ネットワーク機器２０はＰＤＣＣＨによって送信したＤＣＩを検出する。この４つのＤＣＩフォーマットに含まれた制御情報のビット数が同じであり、且つ最初の２つの制御情報ビットで異なるＤＣＩフォーマットを区別する。仮に端末装置１０はネットワーク機器２０がＤＣＩ  ｆｏｒｍａｔ  ２に基づいて送信したＤＣＩを正確に検出した後に、予め約束されたＤＣＩフォーマットと基本パラメータセットとの対応関係に基づき、検出されたＤＣＩ  ｆｏｒｍａｔ  ２に対応する基本パラメータセットは第１基本パラメータセットであることを確定し、端末装置１０は確定した第１基本パラメータセットにおけるパラメータに基づき、検出した該ＤＣＩがスケジューリングされたＰＤＳＣＨを検出する。例えば端末は該基本パラメータセットにおけるサブキャリア間隔、総のサブキャリア数及びチャネルプレフィックス長さに基づき、更に該ＤＣＩにおけるその他の制御情報を組み合わせ、該ＤＣＩがスケジューリングされたＰＤＳＣＨを検出するパラメータを確定し、それにより該ＤＣＩがスケジューリングされたＰＤＳＣＨを検出する。
【表２】
2019527954.tif 000004
【００５５】
選択可能に、異なるＤＣＩフォーマットに対応する制御情報の長さが異なり、及び／又は異なるＤＣＩフォーマットに含まれたＤＣＩフォーマットインジケータビットが指示する情報は異なる。
【００５６】
選択可能に、異なるＤＣＩフォーマットに対応する基本パラメータセットは異なって、且つ該異なるＤＣＩフォーマットが同じ制御情報ドメインを含み、前記同じ制御情報ドメインは前記異なるＤＣＩの中で占められたビット数が異なり、及び／又は前記同じ制御情報ドメインは前記異なるＤＣＩフォーマットの中で指示した内容が異なる。
【００５７】
該ＤＣＩの長さは該ＤＣＩに含まれた制御情報の総ビット数を指し、該ＤＣＩの内容は該ＤＣＩに含まれた制御情報ドメイン、及び各制御情報ドメインが指示された内容を指す。
【００５８】
具体的に、異なるＤＣＩフォーマットは異なる基本パラメータセットに対応し、異なるＤＣＩフォーマットがＤＣＩの長さ、ＤＣＩにおける制御情報の内容、制御情報ドメインの長さ及び制御情報ドメインが指示された内容の中の少なくとも１種によって区別することができる。即ち、異なるＤＣＩフォーマットに対応するＤＣＩの長さが異なり、及び／又は異なるＤＣＩフォーマットに対応するＤＣＩにおける制御情報の内容が異なり、及び／又は同じ制御情報ドメインに対して、異なるＤＣＩフォーマットに対応するＤＣＩにおける同じ制御情報ドメインが占められたビット数は異なり、及び／又は同じ制御情報ドメインについて、異なるＤＣＩフォーマットに対応するＤＣＩにおける同じ制御情報ドメインが指示された内容が異なる。
【００５９】
異なるＤＣＩフォーマットに対応するＤＣＩの長さは異なることができ、例えば、第１基本パラメータセットに対応するＤＣＩフォーマットはＤＣＩ  ｆｏｒｍａｔ  １であり、第１基本パラメータセットに対応するＤＣＩフォーマットはＤＣＩ  ｆｏｒｍａｔ  ２であり、且つＤＣＩ  ｆｏｒｍａｔ  １及びｆｏｒｍａｔ  ２に含まれた情報ビット数は異なり、異なるＤＣＩフォーマットに対応されたＤＣＩにおける制御情報の内容は異なることができ、例えば、第１基本パラメータセットに対応するＤＣＩフォーマットはＤＣＩ  ｆｏｒｍａｔ  １であり、第１基本パラメータセットに対応するＤＣＩフォーマットはＤＣＩ  ｆｏｒｍａｔ  ２であり、且つＤＣＩ  ｆｏｒｍａｔ  １はＤＣＩ  ｆｏｒｍａｔ  ２より１つの制御情報ドメインが多い。同じ制御情報ドメインについて、異なるＤＣＩフォーマットに対応するＤＣＩにおける同じ制御情報ドメインが占められたビット数は異なることができ、例えば、第１基本パラメータセットに対応するＤＣＩフォーマットはＤＣＩ  ｆｏｒｍａｔ  １であり、基本パラメータセット２に対応するＤＣＩフォーマットはＤＣＩ  ｆｏｒｍａｔ  ２であり、ＤＣＩ  ｆｏｒｍａｔ  １及びｆｏｒｍａｔ  ２の両方はリソースブロック（Ｒｅｓｏｕｒｃｅ  Ｂｌｏｃｋ、「ＲＢ」と略称）割り当てを指示するための制御情報ドメインを含むが、２つの基本パラメータセットに対応する周波数ドメインリソース領域が異なり、該ＲＢ割り当てを指示するための制御情報ドメインのビット数も異なり、同じ制御情報ドメインについて、異なるＤＣＩフォーマットに対応するＤＣＩにおける同じ制御情報ドメインが指示された内容も異なることができ、例えば、第１基本パラメータセットに対応するＤＣＩフォーマットはＤＣＩ  ｆｏｒｍａｔ  １であり、第１基本パラメータセットに対応するＤＣＩフォーマットはＤＣＩ  ｆｏｒｍａｔ  ２であり、第３基本パラメータセットに対応するＤＣＩフォーマットはＤＣＩ  ｆｏｒｍａｔ  ３であり、第４基本パラメータセットに対応するＤＣＩフォーマットはＤＣＩ  ｆｏｒｍａｔ  ４であり、この４つのＤＣＩフォーマットはいずれも２ビットのＡＣＫ／ＮＡＣＫフィードバックタイムシーケンスを指示する制御情報ドメインを含み、データ伝送と対応するＡＣＫ／ＮＡＣＫとの間のタイムシーケンス関係を指示することに用いられ、第１基本パラメータセットに対応するＤＣＩ  ｆｏｒｍａｔ  １に対して、該制御情報ドメインが指示した４つの可能なタイムシーケンスは｛０、１、２、３｝であり、第１基本パラメータセットに対応するＤＣＩ  ｆｏｒｍａｔ  ２に対して、該制御情報ドメインが指示した４つの可能なタイムシーケンスは｛０、２、４、６｝であり、第３基本パラメータセットに対応するＤＣＩ  ｆｏｒｍａｔ  ３に対して、該制御情報ドメインが指示した４つの可能なタイムシーケンスは｛０、３、６、９｝であり、第４基本パラメータセットに対応するＤＣＩ  ｆｏｒｍａｔ  ４に対して、該制御情報ドメインが指示した４つの可能なタイムシーケンスは｛０、４、８、１２｝であり、異なる基本パラメータセットに対応する異なるＤＣＩにおける制御情報ドメインが指示された内容はそれぞれ異なる。
【００６０】
例えば、ＤＣＩフォーマットと基本パラメータセットとの対応関係は上記の表２に示すようなものであってよい。ＤＣＩフォーマットがＤＣＩ  ｆｏｒｍａｔ  １である際に対応する基本パラメータセットは第１基本パラメータセットであり、ＤＣＩフォーマットがＤＣＩ  ｆｏｒｍａｔ  ２である際に対応する基本パラメータセットは第１基本パラメータセットであり、ＤＣＩフォーマットがＤＣＩ  ｆｏｒｍａｔ  ３である際に対応する基本パラメータセットは第３基本パラメータセットであり、ＤＣＩフォーマットがＤＣＩ  ｆｏｒｍａｔ  ４である際に対応する基本パラメータセットは第４基本パラメータセットである。端末装置１０はネットワーク機器２０がＤＣＩ  ｆｏｒｍａｔ  ２に基づいて送信したＤＣＩを検出した後に、端末装置１０はＤＣＩフォーマットと基本パラメータセットとの該対応関係に基づき、該データ伝送に使用された基本パラメータセットが基本パラメータセット２であることを確定することができる。該基本パラメータセットはサブキャリア間隔、現在システム帯域幅でのサブキャリア数、信号プレフィックス長さ等のパラメータ等を含んでよい。ネットワーク機器２０は第１基本パラメータセット、第１基本パラメータセット、第３基本パラメータセット及び第４基本パラメータセットにおけるパラメータ構成状況を端末装置１０に予め送信することができ、端末装置１０は基本パラメータセットにおけるパラメータ構成状況を受信する。仮に４種のＤＣＩフォーマットにいずれも２ビットの確認／非確認（Ａｃｋｎｏｗｌｅｄｇｅｍｅｎｔ／Ｎｅｇａｔｉｖｅ  Ａｃｋｎｏｗｌｅｄｇｅｍｅｎｔ、「ＡＣＫ／ＮＡＣＫ」と略称）フィードバックタイムシーケンスを指示するための制御情報ドメインを含むと、特定指示データ伝送サブフレームとＡＣＫ／ＮＡＣＫフィードバックサブフレームとの間のサブフレームがオフセットする。選択可能に、異なるＤＣＩフォーマットにおける該制御情報ドメインが占められたビット数は異なてもよく、例えばＤＣＩ  ｆｏｒｍａｔ  １及びＤＣＩ  ｆｏｒｍａｔ  ３に含まれた制御情報のビット数が同じ（仮にＭである）、ＤＣＩ  ｆｏｒｍａｔ  ２及びＤＣＩ  ｆｏｒｍａｔ  ４に含まれた制御情報のビット数が同じ（仮にＮである）である。選択可能に、異なるパラメータ構成セットに対応する異なるＤＣＩフォーマットに対して、いずれも２ビットのＡＣＫ／ＮＡＣＫフィードバックタイムシーケンスを指示するための制御情報ドメインを含んでよいが、該２ビットのＡＣＫ／ＮＡＣＫフィードバックタイムシーケンスを指示するための制御情報ドメインが指示された内容は異なることができ、例えば表３に示すようなものである。
【表３】
2019527954.tif 000005
【００６１】
端末装置１０はネットワーク機器２０があるＤＣＩフォーマットに基づいて送信したＤＣＩを検出した後に、端末装置１０は該ＤＣＩフォーマットに基づき、該ＤＣＩの長さ、該ＤＣＩにおける制御情報の内容、該ＤＣＩにおけるある制御情報ドメインが占められたビット数及び該ＤＣＩにおけるある制御情報ドメインが指示した内容の中の少なくとも１種を確定することができ、且つＤＣＩフォーマットと基本パラメータセットとの対応関係に基づき、該データを伝送するための基本パラメータセットを確定する。
【００６２】
選択可能に、該ＤＣＩフォーマットにおける制御情報ドメインは
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式（Ｍｏｄｕｌａｔｉｏｎ  Ｃｏｄｉｎｇ  Ｓｃｈｅｍｅ、「ＭＣＳ」と略称）を指示するための制御情報ドメイン、サブフレーム構造を指示するための制御情報ドメイン、及び復調基準信号（Ｍｏｄｕｌａｔｉｏｎ  Ｒｅｆｅｒｅｎｃｅ  Ｓｉｇｎａｌ、「ＤＭＲＳ」と略称）配置を指示するための制御情報ドメインの中の少なくとも１種を含んでよい。
【００６３】
物理リソースの割り当てを指示するための制御情報ドメインは例えば該ＤＣＩがスケジューリングしたデータ伝送に占用されたＰＲＢを指示するためのＲＢ割り当て制御情報ドメインであってよく、ＡＣＫ／ＮＡＣＫフィードバックタイムシーケンスを指示するための制御情報ドメインはデータ伝送と対応するＡＣＫ／ＮＡＣＫフィードバックとの間のタイムシーケンス関係を指示することに用いられ、例えばデータ伝送が所在するサブフレームと対応するＡＣＫ／ＮＡＣＫフィードバックが所在するサブフレームとの間のサブフレームオフセット数であり、周波数ホッピング構成を指示するための制御情報ドメインは例えば周波数領域の周波数ホッピングを指示するための制御情報ドメインであり、ＤＭＲＳ構成を指示するための制御情報ドメインは例えばＤＭＲＳに使用されたポート、スクランブルシーケンス等の情報を指示するための制御情報ドメインであり、サブフレーム構造を指示するための制御情報ドメインは例えばサブフレームにおける総直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称）シンボル数、或いはサブフレームにおける保護間隔（Ｇｕａｒｄ  Ｐｅｒｉｏｄ、「ＧＰ」と略称）数量又は位置、又はサブフレームにおける異なるタイプのＯＦＤＭシンボルの数量構成、例えばサブフレームにおけるダウンリンク制御シンボル、ダウンリンクデータシンボル及びアップリンク制御シンボルの数量または比率構成、或いはサブフレームにおけるダウンリンク制御シンボル及びアップリンクデータシンボルの数量または比率構成を指示することに用いられる。
【００６４】
選択可能に、該方法において２４０は２４１〜２４４を更に含んでよい。図３は本発明の他の実施例によるデータを伝送する方法を示す模式的なフローチャートである。該方法は２４１〜２４４を含み、２４０は２４１〜２４４により取り替えることができる。
【００６５】
２４１において、ネットワーク機器２０はＤＣＩフォーマットと基本パラメータセットとの対応関係を確定する。
【００６６】
２４２において、ネットワーク機器２０は端末装置１０へ該対応関係を指示するための指示情報を送信する。
【００６７】
２４３において、端末装置１０はネットワーク機器２０が送信した該対応関係を指示するための指示情報を受信する。
【００６８】
２４４において、端末装置１０は検出した該ＤＣＩと該対応関係に基づき、該基本パラメータセットを確定する。
【００６９】
具体的に、該基本パラメータセットを確定するための必要とする基本パラメータセットとＤＣＩフォーマットとの対応関係のは、ネットワーク機器２０により確定され、端末装置１０に予め指示することができ、例えばネットワーク機器２０は上位層のシグナリングによって端末装置１０へ指示情報を送信し、該指示情報が基本パラメータセットとＤＣＩフォーマットとの前記対応関係を指示することに用いられ、端末装置１０は該対応関係を指示するための指示情報を受信した後に、検出した該ＤＣＩ、及びＤＣＩフォーマットと基本パラメータセットとの該対応関係に基づき、該データをスケジューリングするための基本パラメータセットを確定する。
【００７０】
理解すべきなのは、端末装置１０は該データをスケジューリングするための該基本パラメータセットを確定する際に、使用されたＤＣＩフォーマットと基本パラメータセットとの該対応関係は端末装置１０及びネットワーク機器２０により予め約束されてもよく、例えば端末装置１０は規約に規定されているＤＣＩフォーマットと基本パラメータセットとの該対応関係に基づき、該ＤＣＩフォーマットに対応する基本パラメータセットを確定する。
【００７１】
２５１において、ネットワーク機器２０は該基本パラメータセットと該ＤＣＩに基づき、端末装置１０へ該データを送信する。
【００７２】
具体的に、ネットワーク機器２０は該基本パラメータセットにおけるパラメータ、及び該データをスケジューリングするためのＤＣＩにおける制御情報の内容に基づき、端末装置１０へ該データを送信する。
【００７３】
２６１において、端末装置１０は該基本パラメータセットと検出した該ＤＣＩに基づき、ネットワーク機器２０が送信した該データを検出する。
【００７４】
具体的に、端末装置１０は該基本パラメータセットにおけるパラメータ、及び検出した該データをスケジューリングするためのＤＣＩにおける制御情報の内容に基づき、ネットワーク機器２０が送信した該データを検出する。
【００７５】
選択可能に、２５１及び２６１は更にそれぞれ図４中に示される２５２及び２６２により替えられてもよく、図４は本発明の他の実施例によるデータを伝送する方法を示すプロセス相互作用図である。
【００７６】
２６２において、端末装置１０は該基本パラメータセットにおけるパラメータ、及び検出した該データをスケジューリングするためのＤＣＩにおける制御情報の内容に基づき、ネットワーク機器２０へ該データを送信する。
【００７７】
２５２において、ネットワーク機器２０は該基本パラメータセットと該ＤＣＩに基づき、端末装置１０が送信した該データを受信する。
【００７８】
具体的に、２５０及び２６０において、該データはアップリンクデータ又はダウンリンクデータを含み、伝送した該データはダウンリンクデータであると、ネットワーク機器２０は端末装置１０へ該データを送信し、該ＤＣＩはダウンリンクデータをスケジューリングするためのＤＣＩであり、端末装置１０はネットワーク機器２０が送信したダウンリンクデータの関連情報を検出することによって該データを正確に受信し、即ち２５１及び２６１を実行し、伝送した該データはアップリンクデータであると、端末装置１０はネットワーク機器２０へ該データを送信し、該ＤＣＩはアップリンクデータをスケジューリングするためのＤＣＩであり、ネットワーク機器２０は端末装置１０が送信した該データを受信し、即ち２６２及び２５２を実行する。
【００７９】
理解すべきなのは、本発明の実施例におけるネットワーク機器２０と端末装置１０との間の該データ伝送はビジネスデータの伝送を含んでもよく、制御シグナリングの伝送を含んでよく、ここで制限がない。
【００８０】
このため、本発明の実施例による方法は、異なる基本パラメータセットに基づいたデータ伝送に異なるＤＣＩフォーマットでスケジューリングすることを実現し、制御シグナリング設計の柔軟性を増加した。
【００８１】
また、端末装置は現在行おうとするデータ伝送に使用され、ネットワーク機器によって送信される該基本パラメータセットの情報を受信する必要がなく、ダウンリンクシグナリングのオーバーヘッドを節約することができる。
【００８２】
理解すべきなのは、本発明の様々な実施例において、上記各過程の番号は実行順序の前後を意味せず、各過程の実行順序はその機能及び組み込み論理により確定されるべきであり、本発明の実施例の実施過程を制限しない。
【００８３】
以上で本発明の実施例によるデータを伝送する方法を詳細に説明し、以下で本発明の実施例による端末装置及びネットワーク機器を説明する。理解すべきなのは、本発明の実施例によるネットワーク機器及び端末装置は上記の本発明の実施例の様々な方法を実行することができ、即ち以下の様々な装置の具体的な作業過程は、上記の方法実施例において対応する過程を参照することができる。
【００８４】
図５は本発明の実施例による端末装置５００を示す模式的なブロック図である。図５に示すように、該端末装置５００は検出モジュール５０１、確定モジュール５０２及び伝送モジュール５０３を備える。
【００８５】
検出モジュール５０１は、ネットワーク機器が送信した前記データをスケジューリングするためのダウンリンク制御情報ＤＣＩを検出することに用いられ、
確定モジュール５０２は、前記検出モジュール５０１が検出した前記ＤＣＩに基づき、前記データを伝送するための基本パラメータセットを確定することに用いられ、前記基本パラメータセットは前記データを伝送する時間周波数リソースを確定するためのリソースパラメータの少なくとも１つを含み、
伝送モジュール５０３は、前記確定モジュール５０２が確定した前記基本パラメータセット及び前記検出モジュール５０１が検出した前記ＤＣＩに基づき、前記ネットワーク機器が送信した前記データを検出し又は前記ネットワーク機器へ前記データを送信する。
【００８６】
選択可能に、前記確定モジュール５０２は具体的に、
検出した前記ＤＣＩに基づき、予め定義された複数の基本パラメータセットから前記データを伝送するための前記基本パラメータセットを確定することに用いられる。
【００８７】
選択可能に、前記確定モジュール５０２は具体的に、
検出した前記ＤＣＩのＤＣＩフォーマット、及びＤＣＩフォーマットと基本パラメータセットとの対応関係に基づき、前記データを伝送するための前記基本パラメータセットを確定することに用いられる。
【００８８】
選択可能に、前記確定モジュール５０２は検出した前記ＤＣＩに基づき、前記データを伝送するための基本パラメータセットを確定する前に、  前記伝送モジュール５０３は更に、
前記ネットワーク機器が送信したＤＣＩフォーマットと基本パラメータセットとの前記対応関係を指示するための指示情報を受信することに用いられる。
【００８９】
選択可能に、前記確定モジュール５０２は具体的に、
検出した前記ＤＣＩの巡回冗長検査コードに基づき、前記データを伝送するための前記基本パラメータセットを確定することに用いられる。
【００９０】
選択可能に、異なるＤＣＩフォーマットに対応する制御情報の長さは異なり、及び／又は異なるＤＣＩフォーマットに含まれたＤＣＩフォーマットインジケータビットが指示する情報は異なる。
【００９１】
選択可能に、異なるＤＣＩフォーマットに対応する基本パラメータセットが異なり、且つ前記異なるＤＣＩフォーマットは同じ制御情報ドメインを含むと、前記同じ制御情報ドメインは前記異なるＤＣＩの中で占められたビット数が異なり、及び／又は前記同じ制御情報ドメインは前記異なるＤＣＩフォーマットの中で指示した内容が異なる。
【００９２】
選択可能に、前記制御情報ドメインは、
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式ＭＣＳを指示するための制御情報ドメイン、サブフレーム構造を指示するための制御情報ドメイン、及び復調基準信号ＤＭＲＳ構成を指示するための制御情報ドメインの中の少なくとも１種を含む。
【００９３】
選択可能に、前記基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換又は逆フーリエ変換の点数、送信時間間隔ＴＴＩにおけるＯＦＤＭシンボル数、特定時間長さ内に含まれたＴＴＩの個数及び信号プレフィックスの長さのパラメータの中の少なくとも１種を含む。
【００９４】
このため、本発明の実施例による端末装置は、異なる基本パラメータセットに基づいたデータ伝送に異なるＤＣＩフォーマットでスケジューリングすることを実現し、制御シグナリング設計の柔軟性を増加した。
【００９５】
また、端末装置は、現在に行おうとするデータ伝送に使用され、ネットワーク機器によって送信される該基本パラメータセットを受信する必要せず、ダウンリンクシグナリングのオーバーヘッドを節約することができる。
【００９６】
注意すべきなのは、本発明の実施例において、検出モジュール５０１及び確定モジュール５０２はプロセッサにより実現することができ、伝送モジュール５０３はトランシーバーにより実現することができる。図６に示すように、端末装置６００はプロセッサ６１０、トランシーバー６２０及びメモリ６３０を含んでよい。トランシーバー６２０は受信機６２１及び送信機６２２を含んでよく、メモリ６３０は基本パラメータセット、ＤＣＩフォーマット、基本パラメータセットとＤＣＩフォーマットとの対応関係等を記憶することに用いられることができ、更にプロセッサ６１０が実行したコード等を記憶することに用いられることもできる。端末装置６００における各コンポーネントはバスシステム６４０によってカップリングされ、バスシステム６４０はデータバスを含む以外、電源バス、制御バス及び状態信号バス等を含む。プロセッサ６１０は具体的に、
ネットワーク機器が送信した前記データをスケジューリングするためのダウンリンク制御情報ＤＣＩを検出し、
プロセッサ６１０が検出した前記ＤＣＩに基づき、前記データを伝送するための基本パラメータセットを確定し、前記基本パラメータセットは前記データを伝送する時間周波数リソースを確定するためのリソースパラメータの少なくとも１つを含むことに用いられ、
トランシーバー６２０は、前記プロセッサ６１０が確定した前記基本パラメータセットと前記プロセッサ６１０が検出した前記ＤＣＩに基づき、前記ネットワーク機器が送信した前記データを検出し又は前記ネットワーク機器へ前記データを送信する。
【００９７】
選択可能に、前記プロセッサ６１０は具体的に、
検出した前記ＤＣＩに基づき、予め定義された複数の基本パラメータセットから前記データを伝送するための前記基本パラメータセットを確定することに用いられる。
【００９８】
選択可能に、前記プロセッサ６１０は具体的に、
検出した前記ＤＣＩのＤＣＩフォーマット、及びＤＣＩフォーマットと基本パラメータセットとの対応関係に基づき、前記データを伝送するための前記基本パラメータセットを確定することに用いられる。
【００９９】
選択可能に、検出した前記ＤＣＩに基づき、前記データを伝送するための基本パラメータセットを確定する前に、前記トランシーバー６２０は更に、
前記ネットワーク機器が送信したＤＣＩフォーマットと基本パラメータセットとの前記対応関係を指示するための指示情報を受信することに用いられることに用いられる。
【０１００】
選択可能に、前記プロセッサ６１０は具体的に、
検出した前記ＤＣＩの巡回冗長検査コードに基づき、前記データを伝送するための前記基本パラメータセットを確定することに用いられる。
【０１０１】
選択可能に、異なるＤＣＩフォーマットに対応する制御情報の長さは異なり、及び／又は異なるＤＣＩフォーマットに含まれたＤＣＩフォーマットインジケータビットが指示する情報は異なる。
【０１０２】
選択可能に、異なるＤＣＩフォーマットに対応する基本パラメータセットが異なり、且つ前記異なるＤＣＩフォーマットは同じ制御情報ドメインを含むと、前記同じ制御情報ドメインは前記異なるＤＣＩの中で占められたビット数が異なり、及び／又は前記同じ制御情報ドメインは前記異なるＤＣＩフォーマットの中で指示した内容が異なる。
【０１０３】
選択可能に、前記制御情報ドメインは、
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式ＭＣＳを指示するための制御情報ドメイン、サブフレーム構造を指示するための制御情報ドメイン、及び復調基準信号ＤＭＲＳ構成を指示するための制御情報ドメインの中の少なくとも１種を含む。
【０１０４】
選択可能に、前記基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換又は逆フーリエ変換の点数、送信時間間隔ＴＴＩにおけるＯＦＤＭシンボル数、特定時間長さ内に含まれたＴＴＩの個数及び信号プレフィックスの長さのパラメータの中の少なくとも１種を含む。
【０１０５】
図７は本発明の実施例によるシステムチップの一つの模式的な構造図である。図７のシステムチップ７００は入力インターフェース７０１、出力インターフェース７０２、少なくとも１つのプロセッサ７０３、メモリ７０４を含み、前記入力インターフェース７０１、出力インターフェース７０２、前記プロセッサ７０３及びメモリ７０４の間にバス７０５によって接続され、前記プロセッサ７０３は前記メモリ７０４におけるコードを実行することに用いられ、前記コードが実行される際に、前記プロセッサ７０３は図２〜図４では端末装置１０により実行した方法を実現する。
【０１０６】
図５に示すような端末装置５００又は図６に示すような端末装置６００又は図７に示すようなシステムチップ７００は上記の図２〜図４方法の実施例において端末装置１０により実現された各過程を実現することができ、繰り返しを避けるため、ここでは説明しない。
【０１０７】
理解できるのは、本発明の実施例におけるプロセッサは集積回路チップであってよく、信号の処理能力を有する。実現過程において、上記の方法実施例の各ステップはプロセッサにおけるハードウェアの集積ロジック回路或いはソフトウェア形式の命令によって完成されることができる。上記のプロセッサは汎用プロセッサ、デジタル信号プロセッサ（Ｄｉｇｉｔａｌ  Ｓｉｇｎａｌ  Ｐｒｏｃｅｓｓｏｒ、「ＤＳＰ」と略称）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、「ＡＳＩＣ」と略称）、フィールドプログラマブルゲートアレイ（Ｆｉｅｌｄ  Ｐｒｏｇｒａｍｍａｂｌｅ  Ｇａｔｅ  Ａｒｒａｙ、「ＦＰＧＡ」と略称）或いはその他のプログラマブルロジックデバイス、離散ゲート或いはトランジスタ論理デバイス、離散ハードウェアコンポーネントであってよい。本発明の実施例に開示された各方法、ステップ及び論理ブロック図を実現或いは実行することができる。汎用プロセッサはマイクロプロセッサであってよく或いは該プロセッサは任意の従来のプロセッサ等であってもよい。本発明の実施例に開示された方法を組み合わせたステップはハードウェアデコードプロセッサにより実行して完成し、或いはデコードプロセッサにおけるハードウェアとソフトウェアモジュールとの組み合わせにより実行して完成するように直接に体現することができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリに位置し、プロセッサはメモリにおける情報を読み取り、そのハードウェアを組み合わせて上記方法のステップを完成する。
【０１０８】
理解できるはのは、本発明の実施例におけるメモリは揮発性メモリ又は不揮発性メモリであってよく、又は揮発性と不揮発性メモリをともに含んでよい。不揮発性メモリは読み取り専用メモリ（Ｒｅａｄ−Ｏｎｌｙ  Ｍｅｍｏｒｙ、「ＲＯＭ」と略称）、プログラマブル読み取り専用メモリ（Ｐｒｏｇｒａｍｍａｂｌｅ  ＲＯＭ、「ＰＲＯＭ」と略称）、消去可能なプログラマブル読み取り専用メモリ（Ｅｒａｓａｂｌｅ  ＰＲＯＭ、「ＥＰＲＯＭ」と略称）、電気的に消去可能なプログラマブル読み取り専用メモリ（Ｅｌｅｃｔｒｉｃａｌｌｙ  ＥＰＲＯＭ、「ＥＥＰＲＯＭ」と略称）又はフラッシュメモリであってよい。揮発性メモリはランダムアクセスメモリ（Ｒａｎｄｏｍ  Ａｃｃｅｓｓ  Ｍｅｍｏｒｙ、「ＲＡＭ」と略称）あってよく、外部キャッシュとして使用される。例示的なものであるが限定するためのものではない説明によって、複数の形式のＲＡＭを利用することができ、例えばスタティックランダムアクセスメモリ（Ｓｔａｔｉｃ  ＲＡＭ、「ＳＲＡＭ」と略称）、ダイナミックランダムアクセスメモリ（Ｄｙｎａｍｉｃ  ＲＡＭ、「ＤＲＡＭ」と略称）、同期ダイナミックランダムアクセスメモリ（Ｓｙｎｃｈｒｏｎｏｕｓ  ＤＲＡＭ、「ＳＤＲＡＭ」と略称）、ダブルデータ速率同期ダイナミックランダムアクセスメモリ（Ｄｏｕｂｌｅ  Ｄａｔａ  Ｒａｔｅ  ＳＤＲＡＭ、「ＤＤＲ  ＳＤＲＡＭ」と略称）、強化型同期ダイナミックランダムアクセスメモリ（Ｅｎｈａｎｃｅｄ  ＳＤＲＡＭ、「ＥＳＤＲＡＭ」と略称）、同期接続ダイナミックランダムアクセスメモリ（Ｓｙｎｃｈｌｉｎｋ  ＤＲＡＭ、「ＳＬＤＲＡＭ」と略称）及び直接メモリバスランダムアクセスメモリ（Ｄｉｒｅｃｔ  Ｒａｍｂｕｓ  ＲＡＭ、「ＤＲ  ＲＡＭ」と略称）を利用することができる。注意すべきなのは、本文に記載のシステムと方法のメモリはこれらと任意の他の適合なタイプのメモリを含むが、これらに限定されない。
【０１０９】
また、本文における用語「システム」及び「ネットワーク」は本文で交換可能に使用される場合が多い。本文における用語「及び／又は」、は、単に関連オブジェクトを説明するための関連関係であり、三種の関係が存在してよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示すことを理解すべきである。
【０１１０】
理解すべきなのは、本発明の実施例において、「Ａに対応するＢ」とはＢがＡに関連すると示され、ＡによってＢを確定することができる。しかし、理解すべきなのは、ＡによってＢを確定することは単にＡによってＢを確定することを意味せず、更にＡ及び／又はその他の情報によってＢを確定することができる。
【０１１１】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０１１２】
当業者は、便宜上且つ簡単に説明するために、上記に記載のシステム、装置及びユニットの具体的な作業過程は、上記方法の実施例における対応過程を参照することができ、ここで繰り返して説明しないことを明らかに理解できるものとする。
【０１１３】
本出願におけるいくつかの実施例において、開示したシステム、装置及び方法は、その他の方式によって実現されることができることを理解すべきである。例えば以上のような装置実施例は単に例示的なものに過ぎず、例えば、前記ユニットの分割は、ロジック機能分割に過ぎず、実際に実現時に他の分割方式があり、例えば、複数のユニット又は組立部品を結合してもよく、又は他のシステムに集積してもよく、又はいくつかの特徴を無視することができ、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０１１４】
上記の分離部材として説明したユニットは物理的に分離してもよく、又は分離しなくてもよく、ユニットとして表示する部材は物理ユニットであってもよく、又は物理ユニットでなくてもよく、即ち１つの場所に位置してもよく、複数のネットワークユニットに分布してもよい。実際の需要に応じてその中の一部又は全部のユニットを選択して本実施例手段の目的を実現することができる。
【０１１５】
また、本発明の各実施例における各機能ユニットは１つの処理ユニットに集積されてもよく、各ユニットは単独に物理的に存在してもよく、２つ又は２つ以上のユニットは１つのユニットに集積されてもよい。
【０１１６】
前記機能はソフトウェア機能ユニットの形式で実現するとともに独立した製品として販売又は使用される場合、1つのコンピュータにより読み取り可能な記憶媒体に記憶することができる。このような理解に基づいて、本発明の実施例の技術的解決手段は本質的或いは従来技術に貢献する部分、或いは該技術的解決手段の部分はソフトウェア製品の形式で表現することができ、該コンピュータソフトウェア製品が１つの記憶媒体に記憶され、一台のコンピュータ設備（パーソナルコンピュータ、サーバー、或いはネットワーク設備等である）が本発明の各実施例に記載の方法の全部又は一部を実行するための若干の指令を含む。前述の記憶媒体は、Ｕディスク、モバイルハードディスク、読み出し専用記憶装置（Ｒｅａｄ−Ｏｎｌｙ  Ｍｅｍｏｒｙ、「ＲＯＭ」と略称）、ランダムアクセスメモリ（Ｒａｎｄｏｍ  Ａｃｃｅｓｓ  Ｍｅｍｏｒｙ、「ＲＡＭ」と略称）、ディスク或いはＣＤ等の様々なプログラムコードを記憶できる媒体である。
【０１１７】
以上のように、上記実施の形態は単に本発明の具体的な一例に過ぎず、本発明の保護範囲はこれに限定されず、当業者であれば、本発明に開示された技術的範囲内において、変化又は置換を考えることができ、それらはすべて本発明の保護範囲に含まれる。このため、本発明の保護範囲は特許請求の範囲による保護範囲を基準とすべきである。
【図１】
2019527954.tif 000006
【図２】
2019527954.tif 000007
【図３】
2019527954.tif 000008
【図４】
2019527954.tif 000009
【図５】
2019527954.tif 000010
【図６】
2019527954.tif 000011
【図７】
2019527954.tif 000012
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
データを伝送する方法であって、
端末装置はネットワーク機器が送信した前記データをスケジューリングするためのダウンリンク制御情報ＤＣＩを検出すること、
前記端末装置は検出した前記ＤＣＩに基づき、前記データを伝送するための基本パラメータセットを確定すること、及び
前記端末装置は前記基本パラメータセットと前記ＤＣＩに基づき、前記ネットワーク機器が送信した前記データを検出し又は前記ネットワーク機器へ前記データを送信することを含むことを特徴とする、データを伝送する方法。
【請求項２】
前記端末装置は検出した前記ＤＣＩに基づき、前記データを伝送するための基本パラメータセットを確定するのは、
前記端末装置は検出した前記ＤＣＩに基づき、予め定義された複数の基本パラメータセットから前記データを伝送するための前記基本パラメータセットを確定することを含むことを特徴とする
請求項１に記載の方法。
【請求項３】
前記端末装置は検出した前記ＤＣＩに基づき、前記データを伝送するための基本パラメータセットを確定するのは、
前記端末装置は検出した前記ＤＣＩの巡回冗長検査コードに基づき、前記データを伝送するための前記基本パラメータセットを確定することを含むことを特徴とする
請求項１又は２に記載の方法。
【請求項４】
前記端末装置は検出した前記ＤＣＩに基づき、前記データを伝送するための基本パラメータセットを確定するのは、
前記端末装置は検出した前記ＤＣＩのＤＣＩフォーマット、及びＤＣＩフォーマットと基本パラメータセットとの対応関係に基づき、前記データを伝送するための前記基本パラメータセットを確定することを含むことを特徴とする
請求項１又は２に記載の方法。
【請求項５】
前記端末装置は検出した前記ＤＣＩに基づき、前記データを伝送するための基本パラメータセットを確定する前に、前記方法は、
前記端末装置は前記ネットワーク機器が送信した指示情報を受信し、前記指示情報はＤＣＩフォーマットと基本パラメータセットとの前記対応関係を指示することに用いられることを更に含むことを特徴とする
請求項４に記載の方法。
【請求項６】
異なるＤＣＩフォーマットに対応する制御情報の長さは異なり、及び／又は異なるＤＣＩフォーマットに含まれたＤＣＩフォーマットインジケータビットが指示する情報は異なることを特徴とする
請求項４又は５に記載の方法。
【請求項７】
異なるＤＣＩフォーマットに対応する基本パラメータセットが異なり、且つ前記異なるＤＣＩフォーマットは同じ制御情報ドメインを含むと、前記同じ制御情報ドメインは前記異なるＤＣＩフォーマットの中で占められたビット数が異なり、及び／又は前記同じ制御情報ドメインは前記異なるＤＣＩフォーマットの中で指示した内容が異なることを特徴とする
請求項４又は５に記載の方法。
【請求項８】
前記制御情報ドメインは、
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式ＭＣＳを指示するための制御情報ドメイン、サブフレーム構造を指示するための制御情報ドメイン、及び復調基準信号ＤＭＲＳ構成を指示するための制御情報ドメインの中の少なくとも１種を含むことを特徴とする
請求項７に記載の方法。
【請求項９】
前記基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換又は逆フーリエ変換の点数、送信時間間隔ＴＴＩにおけるＯＦＤＭシンボル数、特定時間長さ内に含まれたＴＴＩの個数及び信号プレフィックスの長さのパラメータの中の少なくとも１種を含むことを特徴とする
請求項１乃至８のいずれか一項に記載の方法。
【請求項１０】
端末装置であって、
ネットワーク機器が送信した前記データをスケジューリングするためのダウンリンク制御情報ＤＣＩを検出するための検出モジュール、
前記検出モジュールが検出した前記ＤＣＩに基づき、前記データを伝送するための基本パラメータセットを確定するための確定モジュール、及び
前記確定モジュールが確定した前記基本パラメータセットと前記検出モジュールが検出した前記ＤＣＩに基づき、前記ネットワーク機器が送信した前記データを検出し又は前記ネットワーク機器へ前記データを送信するための伝送モジュールを備えることを特徴とする、端末装置。
【請求項１１】
前記確定モジュールは具体的に、
検出した前記ＤＣＩに基づき、予め定義された複数の基本パラメータセットから前記データを伝送するための前記基本パラメータセットを確定することに用いられることを特徴とする
請求項１０に記載の端末装置。
【請求項１２】
前記確定モジュールは具体的に、
検出した前記ＤＣＩの巡回冗長検査コードに基づき、前記データを伝送するための前記基本パラメータセットを確定することに用いられることを特徴とする
請求項１０又は１１に記載の端末装置。
【請求項１３】
前記確定モジュールは具体的に、
検出した前記ＤＣＩのＤＣＩフォーマット、及びＤＣＩフォーマットと基本パラメータセットとの対応関係に基づき、前記データを伝送するための前記基本パラメータセットを確定することに用いられることを特徴とする
請求項１０又は１１に記載の端末装置。
【請求項１４】
前記確定モジュールは検出した前記ＤＣＩに基づき、前記データを伝送するための基本パラメータセットを確定する前に、前記伝送モジュールは更に、
前記ネットワーク機器が送信したＤＣＩフォーマットと基本パラメータセットとの前記対応関係を指示するための指示情報を受信することに用いられることを特徴とする
請求項１３に記載の端末装置。
【請求項１５】
異なるＤＣＩフォーマットに対応する制御情報の長さは異なり、及び／又は異なるＤＣＩフォーマットに含まれたＤＣＩフォーマットインジケータビットが指示する情報は異なることを特徴とする
請求項１３又は１４に記載の端末装置。
【請求項１６】
異なるＤＣＩフォーマットに対応する基本パラメータセットが異なり、且つ前記異なるＤＣＩフォーマットは同じ制御情報ドメインを含むと、前記同じ制御情報ドメインは前記異なるＤＣＩの中で占められたビット数が異なり、及び／又は前記同じ制御情報ドメインは前記異なるＤＣＩフォーマットの中で指示した内容が異なることを特徴とする
請求項１３又は１４に記載の端末装置。
【請求項１７】
前記制御情報ドメインは、
物理リソースの割り当てを指示するための制御情報ドメイン、確認／非確認ＡＣＫ／ＮＡＣＫフィードバックタイムシーケンスを指示するための制御情報ドメイン、周波数ホッピング構成を指示するための制御情報ドメイン、変調符号化方式ＭＣＳを指示するための制御情報ドメイン、サブフレーム構造を指示するための制御情報ドメイン、及び復調基準信号ＤＭＲＳ構成を指示するための制御情報ドメインの中の少なくとも１種を含むことを特徴とする
請求項１６に記載の端末装置。
【請求項１８】
前記基本パラメータセットは、
サブキャリア間隔、特定の帯域幅でのサブキャリア数、物理リソースブロックＰＲＢにおけるサブキャリア数、直交周波数分割多重ＯＦＤＭシンボルの長さ、ＯＦＤＭ信号を生成するためのフーリエ変換又は逆フーリエ変換の点数、送信時間間隔ＴＴＩにおけるＯＦＤＭシンボル数、特定時間長さ内に含まれたＴＴＩの個数及び信号プレフィックスの長さのパラメータの中の少なくとも１種を含むことを特徴とする
請求項１０乃至１７のいずれか一項に記載の端末装置。
【請求項１９】
コンピュータ読み取り可能な記憶媒体であって、
請求項１乃至９のいずれかに記載の方法を実行するプログラムを記憶するように構成される、
コンピュータ読み取り可能な記憶媒体。
【国際調査報告】
2019527954.tif 000013
2019527954.tif 000014
2019527954.tif 000015
2019527954.tif 000016